【事件の表示】
　特願２００２−２０８５４８号「冷媒冷却回路およびそれを用いた自動販売機」拒絶査定不服審判事件〔平成１６年２月１９日出願公開、特開２００４−５４４２４号〕について、次のとおり審決する。
【結　論】
　本件審判の請求は、成り立たない。
【理　由】
Ｉ．手続の経緯
　本願は、平成１４年７月１７日の出願であって、平成１８年１０月１２日付けで拒絶査定がなされ、これに対し、平成１８年１１月２４日に拒絶査定不服審判の請求がなされるとともに、平成１８年１２月１２日付けで明細書の特許請求の範囲の請求項を削除する手続補正がなされ、前置審査において平成１９年２月１６日付けで最後の拒絶理由通知が通知され、同通知において指定された期間内である平成１９年４月１６日付けで明細書についての手続補正がなされたものである。
　
II．平成１９年４月１６日付けの手続補正についての補正却下の決定
［補正却下の決定の結論］
　平成１９年４月１６日付けの手続補正（以下、「本件補正」という。）を却下する。
　
［理由］
１．補正後の本願発明
　本件補正により、特許請求の範囲の請求項１は、次のように補正された。
「　冷媒を圧縮する圧縮機と、前記圧縮機から供給される冷媒を超臨界圧力の状態で放熱させる放熱器と、前記放熱器から供給される冷媒の流量を調節する絞り部と、前記絞り部から供給される冷媒を蒸発させて前記圧縮機に帰還させる蒸発器と、を有する冷媒冷却回路において、
　前記蒸発器の吸熱温度を検出するための第１温度検出手段と、
　前記蒸発器の周囲の空気が循環する断熱筐体内の温度を検出するための第２温度検出手段と、
　前記第１温度検出手段及び第２温度検出手段の検出温度の差に応じて、前記絞り部での冷媒の流量を可変とするための絞り部制御手段と、を備え、
　前記絞り部制御手段は、前記
蒸発器の吸熱温度と前記断熱筐体内の温度との差が一定となるように
可変とする
　
２．補正の目的及び新規事項の追加の有無
　本件補正は、補正前の請求項１（平成１８年１２月１２日付け手続補正書により補正された特許請求の範囲の請求項１）に記載した発明を特定するために必要な事項である「前記絞り部制御手段は、前記検出温度の差が大きくなるほど、前記絞り部での冷媒の流量を増加させる」を「前記絞り部制御手段は、前記蒸発器の吸熱温度と前記断熱筐体内の温度との差が一定となるように前記絞り部での冷媒の流量を可変とする」と補正するものであり、本願明細書の【００４８】段落に、「・・・詳述すると、制御部３２では、温度差ＴＢ−ＴＣが所定値以上（例えば１２℃以上）のとき、電子膨脹弁６の弁開度を大きく設定する・・・ための制御信号を出力し、また、温度差ＴＢ−ＴＣが所定値未満（例えば９℃未満）のとき、電子膨脹弁６の弁開度を小さく設定する・・・ための制御信号を出力することにする。これにより、断熱筐体の庫内と蒸発器８との温度差を一定に保持し、安定した冷凍サイクルを実行することが可能となる。・・・」と記載されているように、補正後の「蒸発器の吸熱温度と前記断熱筐体内の温度との差が一定となるように前記絞り部での冷媒の流量を可変とする」ことは、補正前の「検出温度の差が大きくなるほど、前記絞り部での冷媒の流量を増加させる」との発明特定事項を含み、さらにその差が所定値未満（即ち、小さい）のとき、電子膨脹弁６の弁開度を小さく設定する（冷媒の流量を減少させる）ように可変とすることを付加して限定するものでる。
　そして、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　また、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
３−１．引用例の記載事項
　前置審査において平成１９年２月１６日付けで通知した拒絶の理由に引用された、特開２００２−１３０７７０号公報、及び、実願昭５７−１１８０７５号（実開昭５９−２３０３６号）のマイクロフィルムは、本願出願前に頒布された刊行物であり、それぞれ以下の記載が認められる。
　
（１）特開２００２−１３０７７０号公報
　特開２００２−１３０７７０号公報（以下、「引用例１」という。）には、図面と共に次の事項が記載されている。
　ア．「少なくとも圧縮機、高圧側熱交換器、絞り手段、および低圧側熱交換器を液配管およびガス配管を用いて接続した冷媒回路を形成するとともに、前記高圧側熱交換器および前記低圧側熱交換器に対して被加熱媒体および被冷却媒体を搬送する被加熱媒体搬送手段および被冷却媒体搬送手段を有し、高圧側が超臨界圧力で運転される冷媒を用いた冷凍サイクル装置において、
・・・
前記高圧側熱交換器の出口配管温度を検出する検出手段と、
前記検出手段の検出結果および前記保持手段の関係をもとに、前記絞り手段の開度、前記圧縮機の回転数、前記被加熱媒体の流量、および前記被冷却媒体の流量のうち少なくとも１つを制御して前記高圧圧力範囲に制御する制御手段と、
を備えたことを特徴とする冷凍サイクル装置。」（【請求項１】）
　
　イ．「圧縮機１は、吸入ガスを圧縮して室外熱交換器２または室内熱交換器６に送る。アキュムレータ１２は、圧縮機１の吸入側に接続され、室外熱交換器２または室内熱交換器６から戻る液冷媒を貯留する。・・・また、圧縮機１の吐出側配管には、冷媒の吐出温度を検出する配管温度検出器２２が設けられ、室内熱交換器６の出入口には、配管温度検出器２０，２１が設けられ、室外熱交換器２の冷房時の出口（暖房時の入口）には、配管温度検出器２３が設けられる。」（【００３９】段落）
　
　ウ．「ここで、この冷凍サイクル装置の動作について説明すると、まず、冷房運転時において、四方切替弁９は、図１の実線で示すように接続され、圧縮機１と室外熱交換器２とが連通し、室内熱交換器６および室外熱交換器２は、それぞれ蒸発器および放熱器として機能する。すなわち、圧縮機１から吐出された高温・高圧の冷媒ガスが室外熱交換器２に導入され、ここで、冷媒ガスと室外空気との熱交換が行われた後、中温・高圧ガスは電子式膨張弁４で減圧されて低温・低圧の二相冷媒となり、液配管５を通って室内熱交換器６に導入され、室内空気と熱交換が行われた後、再び圧縮機１に吸入される。すなわち、冷媒は、圧縮機１→四方切替弁９→室外熱交換器２→電子式膨張弁４→液配管５→室内熱交換器１→ガス配管８→四方切替弁９→アキュムレータ１２→圧縮機１の順で冷媒回路内を流動し、冷房運転が行われる。この時、コントローラ１０は、冷房能力の制御を、配管温度検出器２１で検出された蒸発器入口温度ＥＴが目標蒸発温度ＥＴ*となるように、圧縮機１の回転数を制御することによって行う。」（【００４０】段落）
　
　エ．「さらに、コントローラ１０は、室外ファン３および室内ファン７の各モータ３ａ，７ａの回転数をそれぞれ制御するとともに、配管温度検出器２０〜２３で検出された各検出値から、電子式膨張弁４の開度や圧縮機１の回転数を制御する。ここで、コントローラ１０には、メモリ１０ａが備えられ、予め、高圧側熱交換器（冷房時は室外熱交換器２、暖房時は室内熱交換器６）の出口温度すなわち放熱器出口温度と、成績係数ＣＯＰが最大付近となる最適高圧圧力ＨＰ*との特性が記憶されている。」（【００４２】段落）
　
　これら記載事項について検討すると、「・・・圧縮機１から吐出された高温・高圧の冷媒ガスが室外熱交換器２に導入され、・・・」（ウ．参照）と記載されており、圧縮機１は、冷媒ガスを圧縮するものと認められ、「室内熱交換器６および室外熱交換器２は、それぞれ蒸発器および放熱器として機能する。」（ウ．参照）と記載されることから、室外熱交換器２は、圧縮機１から供給される冷媒ガスを放熱させる放熱器と表現可能である。また、高圧側は、超臨界圧力で運転されている（ア．参照）。
　さらに、放熱器である室外熱交換器２の下流には、「冷媒ガス・・・は電子式膨張弁４で減圧されて低温・低圧の二相冷媒となり、」（ウ．参照）と記載される電子式膨張弁４が設けられ、「冷媒は、圧縮機１→・・・→室外熱交換器２→電子式膨張弁４→・・・→室内熱交換器１→・・・→圧縮機１の順で冷媒回路内を流動し、」（ウ．参照）と記載されるように、電子式膨張弁４から供給される冷媒ガスを蒸発器として機能する室内熱交換器６に供給し、圧縮機１に帰還させることが引用例１に記載されている。
　さらに、引用例１には、「圧縮機１の吐出側配管には、冷媒の吐出温度を検出する配管温度検出器２２が設けられ、室内熱交換器６の出入口には、配管温度検出器２０，２１が設けられ、室外熱交換器２の冷房時の出口（暖房時の入口）には、配管温度検出器２３が設けられる。」（イ．参照）と記載され、蒸発器である室内熱交換器６の出入口、室外熱交換器２の冷房時の出口に、配管温度検出器２０，２１、２３が設けられており、冷房時は室外熱交換器２の出口温度すなわち配管温度検出器２３に基づいて電子式膨張弁４の開度を制御するコントローラ１０が記載されている（ア．エ．参照）。
　したがって、これら記載事項及び図示内容を総合し、本願補正発明の記載ぶりに則って整理すると、引用例１には、次の発明（以下、「引用発明１」という。）が記載されている。
　
「　冷媒を圧縮する圧縮機１と、前記圧縮機１から供給される冷媒を超臨界圧力の状態で放熱させる放熱器としての室外熱交換器２と、前記室外熱交換器２から供給される冷媒の流量を調節する電子式膨張弁４と、前記電子式膨張弁４から供給される冷媒を蒸発させて前記圧縮機１に帰還させる蒸発器としての室内熱交換器６、を有する冷媒を用いた冷凍サイクル装置において、
　室内熱交換器６の出入口に配管温度検出器２０，２１、室外熱交換器２の冷房時の出口に配管温度検出器２３を備え、
　コントローラ１０が、室外熱交換器２の出口温度すなわち配管温度検出器２３に基づいて電子式膨張弁４の開度を制御し冷媒の流量を可変とする、冷凍サイクル装置。」
　
（２）実願昭５７−１１８０７５号（実開昭５９−２３０３６号）のマイクロフィルム
　実願昭５７−１１８０７５号（実開昭５９−２３０３６号）のマイクロフィルム（以下、「引用例２」という。）には、図面と共に次の事項が記載されている。
　オ．「能力可変圧縮機、室外熱交換器、減圧装置、室内熱交換器などを順次連通してなる冷凍サイクルを備え、・・・冷房運転時、前記室内熱交換器の近傍に設けられている室内ファンの運転速度を室内温度と室内熱交換器の温度との差に応じて連続的に変化せしめる制御手段を具備したことを特徴とする空気調和機。」（明細書第１ページ第５〜１３行）
　
　カ．「第３図は制御回路の主要部である。第３図において、１１は蒸発器（室内熱交換器）温度検出回路で、室内熱交換器４の温度（以下、蒸発器温度と称す）Ｔｅを前記温度センサ７を用いて検出するものである。１２は吸込空気温度検出回路で、室内ユニットに吸込まれる空気の温度つまり室内温度Ｔａを温度センサ１３で検出するものである。・・・このマイクロコンピュータ１４は、室内温度設定値Ｔｏと室内温度Ｔａとの差（Ｔｏ−Ｔａ）を算出し、その算出結果に応じてディジタル制御部１５へ能力設定指令Ａを供給するとともに、室内温度Ｔａと蒸発器温度Ｔｅとの差（Ｔａ−Ｔｅ）を算出し、その算出結果に応じてファン運転速度設定指令Ｂをスイッチング回路１６へ供給するものである。このスイッチング回路１６は、前記室内ファン６のファンモータ６Ｍの回転数をファン運転速度設定指令Ｂに応じて連続的に変化させるものである。」（明細書第４ページ第９行〜第５ページ第１０行）
　
　キ．「冷房運転時、室内温度Ｔａおよび蒸発器温度Ｔｅが逐次検出される。しかして、マイクロコンピュータ１４は、室内温度設定値Ｔｏと室内温度Ｔａとの差（Ｔｏ−Ｔａ）を算出し、・・・すなわち、室内温度Ｔａが設定値Ｔｏに近づく程、圧縮機１の能力が小さくなっていく。
　一方、マイクロコンピュータ１４は、室内温度Ｔａと蒸発器温度Ｔｅとの差（Ｔａ−Ｔｅ）を算出し、・・・（Ｔａ−Ｔｅ）が小さい程、室外ファン６の運転速度を低下するようにしている。
　したがって、室内温度Ｔａが設定値Ｔｏに近づくと圧縮機１の能力が徐々に小さくなり、・・・それと同時に室内ファン６の運転速度が徐々に低下するため、第４図に示すように冷媒蒸発温度の上昇が抑制され、・・・圧縮機１の能力変化に対して室外ファン６の運転速度変化が大きくずれることがないので、冷房能力不足を生じることもない。」（明細書第６ページ第４行〜第７ページ第１６行）
　なお、上記キ．に記載される「室外ファン６」は、引用例２のその他の記載からみて、「室内ファン６」の誤記であることは、明らかである。
　
　上記記載事項について検討すると、引用例２には、能力可変圧縮機、室外熱交換器、減圧装置、室内熱交換器などを順次連通してなる冷凍サイクルが記載され（オ．参照）、蒸発器温度である室内熱交換器４の温度を検出するための温度センサ７と、室内ユニットに吸込まれる空気の温度つまり室内温度Ｔａを検出するための温度センサ１３が記載されており（カ．参照）、室内温度Ｔａと蒸発器温度Ｔｅとの差（Ｔａ−Ｔｅ）を算出し、それに応じて蒸発器である室内熱交換器４の近傍に設けられている室内ファン６の運転速度を変化させることが記載され（オ．〜キ．参照）、加えて、同差（Ｔａ−Ｔｅ）が小さい程、室内ファン６の運転速度を低下するようにしていると記載されている（キ．参照）。
　したがって、これら記載事項及び図示内容を総合し、本願補正発明の記載ぶりに則って整理すると、引用例２には、次の発明（以下、「引用発明２」という。）が記載されている。
　
　「能力可変圧縮機、室外熱交換器、減圧装置、室内熱交換器などを順次連通してなる冷凍サイクルにおいて、
　蒸発器温度である室内熱交換器４の温度を検出するための温度センサ７と、
　室内ユニットに吸込まれる空気の温度つまり室内温度Ｔａを検出するための温度センサ１３と、
　前記温度センサ７の検出温度である蒸発器温度Ｔｅ及び温度センサ１３の検出温度である室内温度Ｔａの差（Ｔａ−Ｔｅ）に応じて、前記蒸発器である室内熱交換器４の近傍に設けられている室内ファン６の速度を可変とするマイクロコンピュータ１４と、を備え、
　室内温度Ｔａが設定値Ｔｏに近づくとともに、室内熱交換器４の蒸発器温度Ｔｅの上昇が抑制される冷凍サイクル。」
　
３−２．対比
　本願補正発明と引用発明１とを対比すると、機能または作用等からみて、引用発明１の「冷凍サイクル装置」は、本願補正発明の「冷媒冷却回路」に相当し、以下同様に、「冷媒」は「冷媒」に、「圧縮機１」は「圧縮機」に、「室外熱交換器２」は「放熱器」に、「電子式膨張弁４」は「絞り部」に、「室内熱交換器６」は「蒸発器」に、それぞれ相当する。
　また、引用発明１の「配管温度検出器２０，２１」は、その測定する部位からみて、本願補正発明の「第１温度検出手段」に相当し、引用発明１の「コントローラ１０」は、本願補正発明の絞り部に相当する電子式膨張弁４での冷媒の流量を可変とする制御手段である点においては、本願補正発明の「絞り部制御手段」と概念を共通するものである。
　そこで、本願補正発明の用語を用いて表現すると、両者は次の点で一致する。
（一致点）
「冷媒を圧縮する圧縮機と、前記圧縮機から供給される冷媒を超臨界圧力の状態で放熱させる放熱器と、前記放熱器から供給される冷媒の流量を調節する絞り部と、前記絞り部から供給される冷媒を蒸発させて前記圧縮機に帰還させる蒸発器と、を有する冷媒冷却回路において、
　前記蒸発器の吸熱温度を検出するための第１温度検出手段と、
　前記絞り部での冷媒の流量を可変とするための絞り部制御手段と、を備え、
　前記絞り部での冷媒の流量を可変とする冷媒冷却回路。」
　
　そして、両者は次の点で相違する（対応する引用発明１の用語を（　）内に示す。）。
（相違点）
　本願補正発明は、蒸発器の周囲の空気が循環する断熱筐体内の温度を検出するための第２温度検出手段を備え、第１温度検出手段及び第２温度検出手段の検出温度の差に応じて、絞り部制御手段は、前記蒸発器の吸熱温度と前記断熱筐体内の温度との差が一定となるように冷媒の流量を可変とするのに対し、引用発明１は、第１温度検出手段（管温度検出器２０，２１）を有し、冷媒の流量を可変とするものの、第２温度検出手段を有しておらず、蒸発器（室内熱交換器６）の吸熱温度と断熱筐体内の温度との差が一定となるように冷媒の流量を可変とするものではない点。
　
３−３．相違点の判断
　上記相違点について検討する。
　引用例２は、本願補正発明と技術分野を一にする「冷媒冷却回路」の制御に係るものであり、その検出位置からみて、本願補正発明の「第１温度検出手段」及び「第２温度検出手段」にそれぞれ相当する「温度センサ７」及び「温度センサ１３」が記載されている。
　また、引用発明２は、「温度センサ７」及び「温度センサ１３」の検出温度の差（Ｔａ−Ｔｅ）に応じて、前記蒸発器である室内熱交換器４の近傍に設けられている室内ファン６の速度を可変とするマイクロコンピュータ１４を有するものであり、引用発明２の「室内熱交換器４」は、その機能からみて、本願補正発明の「蒸発器」に相当している。
　そして、蒸発器の吸熱温度の温度変化に関する範囲では、流入する冷媒の量を増加させることと、近傍にあるファンを増速することとの両者が同様の変化をもたらすことは、当業者の技術常識として自明の事項であり、さらに、本願明細書をみると、本願補正発明が「第１温度検出手段及び第２温度検出手段の検出温度の差に応じて、絞り部制御手段は、前記蒸発器の吸熱温度と前記断熱筐体内の温度との差が一定となるように冷媒の流量を可変とする」ことに関して、本願明細書の【００４８】段落に、「・・・電子膨脹弁６の弁開度を大きく設定するか、ファンモータ２８の回転数を上昇させるための制御信号を出力し、・・・これにより、断熱筐体の庫内と蒸発器８との温度差を一定に保持し、安定した冷凍サイクルを実行することが可能となる。」と記載され、冷媒流量の変化をもたらす弁開度と、ファンの回転数を変化させるファンモータの回転数とが被制御量として選択可能な事項として記載されており、上記技術常識を越える特段の開示がなされるものではない。
　してみれば、引用発明２に基づいて第２温度検出手段を設け、引用発明１の電子式膨張弁４の制御に引用発明２を適用して、冷媒の流量を可変とすることは、当業者が容易になしえる事項というべきである。
　さらに、本願補正発明が「蒸発器の吸熱温度と前記断熱筐体内の温度との差が一定となる」と特定されることに関して、本願明細書の記載をみると、【００４８】段落に、前記何れの制御においても、「蒸発器の吸熱温度と前記断熱筐体内の温度との差が一定となる」とされており、「蒸発器の吸熱温度と前記断熱筐体内の温度との差が一定となる」ことは、引用発明２の採用による結果を排除する特定とは認められず、しかも、本願補正発明は、「蒸発器の吸熱温度と前記断熱筐体内の温度との差が一定となるように冷媒の流量を可変」とすることに関して、「第１温度検出手段及び第２温度検出手段の検出温度の差に応じて」可変とする以上の別途の特定を有するものではないので、本願補正発明の相違点に係る特定は、引用発明１に引用発明２を適用したものを排除してまで発明を特定するものではない。
　したがって、引用発明１に引用発明２を適用して、相違点に係る本願補正発明の発明特定事項のようにすることは、当業者が容易に想到し得たものである。
　
　そして、本願補正発明による効果も、引用発明１、２及び周知技術から当業者が予測し得た以上の格別のものとすることはできない。
　
　したがって、本願補正発明は、引用発明１，２および周知技術に基いて、当業者が容易に発明をすることができたものであるので、特許法第２９条第２項の規定により、特許出願の際独立して特許を受けることができない。
　
　なお、請求人は、引用発明２は、蒸発器温度Ｔｅが一定となるように室内ファン６の運転能力を調整する旨述べ、室内温度Ｔａと蒸発器温度Ｔｅとの差（Ｔａ−Ｔｅ）が所定値未満の場合、上記差（Ｔａ−Ｔｅ）が一定となるように蒸発器温度Ｔｅを下げるという技術を開示並びに示唆するものではない旨主張している。
　しかしながら、本願補正発明の発明特定事項は上述のとおりであり、しかも、引用発明２が独立して室内温度Ｔａが設定値Ｔｏとなるように制御される範囲においては、室内温度Ｔａが所定値に収束するものであり、蒸発器温度Ｔｅが一定に制御されれば、結果として上記差（Ｔａ−Ｔｅ）が一定となることからも、本願補正発明の発明特定事項は、引用発明２の採用を排除してまで、発明を特定する記載とはなっていない。
　
３−４．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、平成１８年１２月１２日付け手続補正書により補正された特許請求の範囲の請求項１に記載された事項により特定される、以下のとおりのものである。
「冷媒を圧縮する圧縮機と、前記圧縮機から供給される冷媒を超臨界圧力の状態で放熱させる放熱器と、前記放熱器から供給される冷媒の流量を調節する絞り部と、前記絞り部から供給される冷媒を蒸発させて前記圧縮機に帰還させる蒸発器と、を有する冷媒冷却回路において、
　前記蒸発器の吸熱温度を検出するための第１温度検出手段と、
　前記蒸発器の周囲の空気が循環する断熱筐体内の温度を検出するための第２温度検出手段と、
　前記第１温度検出手段及び第２温度検出手段の検出温度の差に応じて、前記絞り部での冷媒の流量を可変とするための絞り部制御手段と、を備え、
　前記絞り部制御手段は、前記検出温度の差が大きくなるほど、前記絞り部での冷媒の流量を増加させる、ことを特徴とする冷媒冷却回路。」
　
IV．引用例の記載事項
　前置審査において平成１９年２月１６日付けで通知された拒絶の理由に引用された引用例、及び、その記載事項は、前記II．３−１に記載したとおりである。
　
Ｖ．対比・判断
　本願発明は、前記II．１の本願補正発明が「前記絞り部制御手段は、前記蒸発器の吸熱温度と前記断熱筐体内の温度との差が一定となるように前記絞り部での冷媒の流量を可変とする」と限定されるところ、その限定の一部を省き、「前記絞り部制御手段は、前記検出温度の差が大きくなるほど、前記絞り部での冷媒の流量を増加させる」と特定されるものである。
　そうすると、本願発明の発明特定事項をすべて含み、さらに、限定が付加されたものに相当する本願補正発明が、前記II．３−２、３−３に記載したとおり、引用発明１、２及び周知技術に基いて、当業者が容易に発明をすることができたものであるから、本願発明も、同様に、引用発明１、２及び周知技術に基いて、当業者が容易に発明をすることができたものである。
　
VI．むすび
　以上のとおり、本願発明は、引用発明１、２及び周知技術に基いて、当業者が容易に発明をすることができたものであるから、特許法第２９条第２項の規定により、特許を受けることができない。
　よって、結論のとおり審決する。